(57)【要約】【課題】感光材を露光し現像処理することにより写真をプリントする写真処理システムにおいて、ある顧客のオーダー処理中に、先に処理した他の顧客の写真をプリントし直すための割り込み処理を可能とする。【解決手段】割り込み命令があった場合、現在処理中のオーダーを、例えば処理中のフィルム１本分の処理が完了するまで続行した後、そのオーダーの処理を中断し、中断されたオーダーの処理が開始されてから中断されるまでの間における処理内容を記憶する。割り込み処理によりＮＧと判定された写真のプリントをやり直した後、中断されたオーダーの処理を再開し、再開後の処理内容を記憶した処理内容に累積的に加算し、印字出力する。【選択図】　なし【特許請求の範囲】
【請求項１】
顧客のオーダーに基づいて、順次感光材を露光し、露光された感光材を現像処理することにより写真をプリントする写真処理システムにおいて、
現在実行されているオーダーを中断して新たなオーダーを受け付けるための割り込み命令入力手段と、
前記割り込み命令入力手段からの割り込み命令があった場合に、その時点で感光材片を露光中の場合はその感光材片の露光が完了した後に又は感光材片を露光中でない場合は直ちに現在実行中のオーダーを中断するオーダー中断手段と、
前記露光中の感光材片又は割り込み命令直前に露光を終えた感光材片が所定の搬送経路を通って現像処理され排出されるまでの間、新たなオーダーの受け付け及び新たなオーダーに含まれる画像について所定の設定の入力を可能とする入力手段とを具備することを特徴とする写真処理システム。
【請求項２】
前記割り込み命令入力手段からの割り込み命令があった場合に、現在実行中のオーダーの処理が開始されてから中断されるまでの間における処理内容を記憶する処理内容記憶手段をさらに具備することを特徴とする請求項１記載の写真処理システム。
【請求項３】
顧客のオーダーに基づいて、順次感光材を露光し、露光された感光材を現像処理することにより写真をプリントする写真処理システムにおいて、
既に処理された第１のオーダーによる写真中に画質が不適当と判定された写真が含まれている場合に、現在実行されている第２のオーダーを中断して前記不適当と判定された写真のプリントをやり直すための割り込み命令入力手段と、
前記割り込み命令入力手段からの割り込み命令があった場合に、第２のオーダーを所定の区切りまで実行した後、第２のオーダーを中断するオーダー中断手段と、
第２のオーダーが中断された時点において、第２のオーダーの処理が開始されてから中断されるまでの間における第２のオーダーの処理内容を記憶する処理内容記憶手段と、
第２のオーダーが中断された後、第１のオーダーにおいて画質が不適当と判定された写真をプリントし直すリプリント手段と、
プリントし直された第１のオーダーによる写真を前記第２のオーダーによる写真と区別して出力するリプリント出力手段と、
第１のオーダーにおいて画質が不適当と判定された写真がプリントし直された後、第２のオーダーの中断を解除して第２のオーダーの処理を再開するための割り込み解除命令入力手段と、
割り込み解除命令が入力された後、第２のオーダーの処理を前記所定の区切りの後から再開するオーダー再開手段と、
第２のオーダーの処理が再開された後、再開後の第２のオーダーの処理内容を、前記処理内容記憶手段に記憶されている第２のオーダーの処理が開始されてから中断されるまでの間における第２のオーダーの処理内容に累積的に加算する処理内容加算手段と、
第２のオーダーの処理が完了したときに、前記処理内容加算手段により加算された最終の第２のオーダーの処理内容を出力する処理内容出力手段とを具備することを特徴とする写真処理システム。
【請求項４】
顧客のオーダーに基づいて、順次感光材を露光し、露光された感光材を現像処理することにより写真をプリントする写真処理システムにおいて、
現在処理中のオーダーによる写真中に画質が不適当と判定された写真が含まれている場合に、現在処理中のオーダーを中断して前記不適当と判定された写真のプリントをやり直すための割り込み命令入力手段と、
前記割り込み命令入力手段からの割り込み命令があった場合に、現在処理中のオーダーを所定の区切りまで実行した後、そのオーダーを中断するオーダー中断手段と、
現在処理中のオーダーが中断された時点において、そのオーダーの処理が開始されてから中断されるまでの間における処理内容を記憶する処理内容記憶手段と、
現在処理中のオーダーが中断された後、画質が不適当と判定された写真をプリントし直すリプリント手段と、
プリントし直された写真をその他の写真と区別して出力するリプリント出力手段と、
画質が不適当と判定された写真がプリントし直された後、中断したオーダーの中断を解除して中断したオーダーの処理を再開するための割り込み解除命令入力手段と、
割り込み解除命令が入力された後、中断したオーダーの処理を前記所定の区切りの後から再開するオーダー再開手段と、
中断したオーダーの処理が再開された後、再開後のオーダーの処理内容を、前記処理内容記憶手段に記憶されている処理が開始されてから中断されるまでの間における処理内容に累積的に加算する処理内容加算手段と、
再開したオーダーの処理が完了したときに、前記処理内容加算手段により加算された最終の処理内容を出力する処理内容出力手段とを具備することを特徴とする写真処理システム。
【請求項５】
前記所定の区切りは、前記割り込み命令が入力された時点において処理されているフィルム又は記録媒体について、そのフィルム１本分又は記録媒体１枚分の処理の完了であることを特徴とする請求項３又は４記載の写真処理システム。
【請求項６】
前記リプリント出力手段は、プリントし直された写真をその他の写真とは別のソータ又はトレイに排出することを特徴とする請求項３から５のいずれかに記載の写真処理システム。
【請求項７】
前記リプリント出力手段は、プリントし直された写真を同じオーダーによる写真が排出されたソータ又はトレイに排出することを特徴とする請求項３から５のいずれかに記載の写真処理システム。
【請求項８】
前記処理内容出力手段は、少なくとも中断されたオーダーによる総プリント枚数、各プリントサイズ毎のプリント枚数、各プリントサイズ毎のプリント枚数に単価を乗じた小計金額及び各プリントサイズ毎の小計金額を合算した合計金額のいずれかを印字することを特徴とする請求項３から７のいずれかに記載の写真処理システム。
【発明の詳細な説明】
【０００１】
【発明の属する技術分野】
本発明は、感光材に露光及び現像処理を施して写真をプリントする写真処理システムに関する。
【０００２】
【従来の技術】
従来より、露光されたフィルムを現像し、フィルム上に形成された画像を用いて感光材（印画紙）を露光し、露光された感光材を現像処理して写真のプリント処理を自動的に行う写真処理システムが知られている。
【０００３】
このような写真処理システムでは、顧客が持ち込んだ未現像のフィルムを現像処理し、プリント可能な全てのコマについて予め指定されている枚数ずつ指定されたサイズにプリントする「同時プリント」のほか、現像済みフィルム上のコマの中から顧客が指定したコマについて、指定された枚数だけ指定されたサイズにプリントする「焼き増しプリント」も可能である。さらに、フィルムサイズも、一般的な１３５タイプフィルムの他、ＡＰＳフィルムや１２０タイプフィルムなどの処理が可能である。
【０００４】
これら様々なプリント処理のうち、大きいサイズへの焼き増しプリントや１２０タイプフィルムなどの大きいフィルムサイズからのプリントは、顧客にとって重要な写真であると共に、写真取扱店や現像所（小型の写真処理装置を備えた写真店などは写真取扱店と現像所が１つにまとまった形と考えられる）にとっても顧客から高額の料金をいただける重要な仕事である。そのため、プリント処理された写真の画質に対しても特に厳しい条件が要求され、プリント処理のやり直しを行う場合も少なくない。
【０００５】
【発明が解決しようとする課題】
写真処理システムのうち現像処理されたフィルム上の画像を用いて感光材上に写真をプリントする写真処理装置では、感光材上に潜像を露光し、露光された感光材を順次現像液、漂白液、定着液及び安定化処理液に反応させて現像処理を行い、現像処理された感光材を乾燥させている。そのため、露光条件、すなわちプリント処理された写真の画質、特に色調が適正であったか否かを判断するまでに一定の時間を要する。
【０００６】
ある顧客Ａのオーダーの中で、特定のコマの写真について色調不良（ＮＧ）と判定された場合、そのコマの写真をプリントし直す必要があるが、感光材の露光からプリント処理の完了までに一定の時間を要することから、上記写真処理装置ではすでに他の顧客Ｂのオーダーを処理している可能性が高い。その場合、従来の写真処理装置では、顧客Ａの写真が顧客Ｂの写真中に混じることを防止するため、顧客Ｂのオーダーを中断してまで顧客ＡのＮＧのコマの写真をプリントし直すことは行わず、顧客Ｂのオーダーが完了するまで顧客Ａのオーダーを中断し、顧客Ｂのオーダーが完了した後、顧客ＡのＮＧと判定されたコマの写真をプリントし直していた。そのため、顧客Ａのオーダーの完了が結果的に後回しにされることになり、各顧客のオーダーが受け付けた順番に処理されなくなり、現像所から各ＤＰＥ取扱店にプリント処理された写真を返却する際に、オーダー確認作業が煩雑になるという問題点を有していた。
【０００７】
また、仮に従来の写真処理システムにおいて、顧客Ｂのオーダーを中断して顧客ＡのＮＧのコマの写真をプリントし直すと、顧客Ｂのオーダーが２つ又は中断の回数に応じて複数のオーダーに分割されてしまう。従来の写真処理システムでは、オーダー毎にプリント枚数を集計して料金などを計算しているため、同じ顧客のオーダーが複数に分割されると、プリント処理された写真を顧客に返却する際、写真取り扱店などでは、各オーダーごとの料金を手計算で集計し直さなければならず、非常に煩わしいという問題が生じる。
【０００８】
本発明は、上記従来例の問題点を解決するためになされたものであり、ある顧客のオーダーを分割することなく他の顧客のオーダーの割り込みが可能な写真処理システムを提供することを目的としている。
【０００９】
【課題を解決するための手段】
上記目的を達成するため、本発明の写真処理システムは、顧客のオーダーに基づいて、順次感光材を露光し、露光された感光材を現像処理することにより写真をプリントする写真処理システムにおいて、現在実行されているオーダーを中断して新たなオーダーを受け付けるための割り込み命令入力手段と、前記割り込み命令入力手段からの割り込み命令があった場合に、その時点で感光材片を露光中の場合はその感光材片の露光が完了した後に又は感光材片を露光中でない場合は直ちに現在実行中のオーダーを中断するオーダー中断手段と、前記露光中の感光材片又は割り込み命令直前に露光を終えた感光材片が所定の搬送経路を通って現像処理され排出されるまでの間、新たなオーダーの受け付け及び新たなオーダーに含まれる画像について所定の設定の入力を可能とする入力手段とを具備することを特徴とする。
【００１０】
上記構成において、前記割り込み命令入力手段からの割り込み命令があった場合に、現在実行中のオーダーの処理が開始されてから中断されるまでの間における処理内容を記憶する処理内容記憶手段をさらに具備することが好ましい。
【００１１】
また、本発明の別の写寸処理システムは、顧客のオーダーに基づいて、順次感光材を露光し、露光された感光材を現像処理することにより写真をプリントする写真処理システムにおいて、既に処理された第１のオーダーによる写真中に画質が不適当と判定された写真が含まれている場合に、現在実行されている第２のオーダーを中断して前記不適当と判定された写真のプリントをやり直すための割り込み命令入力手段と、前記割り込み命令入力手段からの割り込み命令があった場合に、第２のオーダーを所定の区切りまで実行した後、第２のオーダーを中断するオーダー中断手段と、第２のオーダーが中断された時点において、第２のオーダーの処理が開始されてから中断されるまでの間における第２のオーダーの処理内容を記憶する処理内容記憶手段と、第２のオーダーが中断された後、第１のオーダーにおいて画質が不適当と判定された写真をプリントし直すリプリント手段と、プリントし直された第１のオーダーによる写真を前記第２のオーダーによる写真と区別して出力するリプリント出力手段と、第１のオーダーにおいて画質が不適当と判定された写真がプリントし直された後、第２のオーダーの中断を解除して第２のオーダーの処理を再開するための割り込み解除命令入力手段と、割り込み解除命令が入力された後、第２のオーダーの処理を前記所定の区切りの後から再開するオーダー再開手段と、第２のオーダーの処理が再開された後、再開後の第２のオーダーの処理内容を、前記処理内容記憶手段に記憶されている第２のオーダーの処理が開始されてから中断されるまでの間における第２のオーダーの処理内容に累積的に加算する処理内容加算手段と、第２のオーダーの処理が完了したときに、前記処理内容加算手段により加算された最終の第２のオーダーの処理内容を出力する処理内容出力手段とを具備することを特徴とする。
【００１２】
また、本発明の別の写真処理システムは、顧客のオーダーに基づいて、順次感光材を露光し、露光された感光材を現像処理することにより写真をプリントする写真処理システムにおいて、現在処理中のオーダーによる写真中に画質が不適当と判定された写真が含まれている場合に、現在処理中のオーダーを中断して前記不適当と判定された写真のプリントをやり直すための割り込み命令入力手段と、前記割り込み命令入力手段からの割り込み命令があった場合に、現在処理中のオーダーを所定の区切りまで実行した後、そのオーダーを中断するオーダー中断手段と、現在処理中のオーダーが中断された時点において、そのオーダーの処理が開始されてから中断されるまでの間における処理内容を記憶する処理内容記憶手段と、現在処理中のオーダーが中断された後、画質が不適当と判定された写真をプリントし直すリプリント手段と、プリントし直された写真をその他の写真と区別して出力するリプリント出力手段と、画質が不適当と判定された写真がプリントし直された後、中断したオーダーの中断を解除して中断したオーダーの処理を再開するための割り込み解除命令入力手段と、割り込み解除命令が入力された後、中断したオーダーの処理を前記所定の区切りの後から再開するオーダー再開手段と、中断したオーダーの処理が再開された後、再開後のオーダーの処理内容を、前記処理内容記憶手段に記憶されている処理が開始されてから中断されるまでの間における処理内容に累積的に加算する処理内容加算手段と、再開したオーダーの処理が完了したときに、前記処理内容加算手段により加算された最終の処理内容を出力する処理内容出力手段とを具備することを特徴とする。
【００１３】
上記各システムにおいて、前記所定の区切りは、前記割り込み命令が入力された時点において処理されているフィルムについて、そのフィルム１本分の処理の完了であることが好ましい。
【００１４】
また、前記リプリント出力手段は、プリントし直された写真をその他の写真とは別のソータ又はトレイに排出することが好ましい。
【００１５】
または、前記リプリント出力手段は、プリントし直された写真を同じオーダーによる写真が排出されたソータ又はトレイに排出することが好ましい。
【００１６】
さらに、前記処理内容出力手段は、少なくとも中断されたオーダーによる総プリント枚数、各プリントサイズ毎のプリント枚数、各プリントサイズ毎のプリント枚数に単価を乗じた小計金額及び各プリントサイズ毎の小計金額を合算した合計金額のいずれかを印字することが好ましい。
【００１７】
【発明の実施の形態】
本発明の一実施形態における写真処理システムについて説明するが、はじめに本実施形態の説明における「オーダー」について説明する。
【００１８】
例えば顧客Ｂが、ＤＰＥ取扱店にフィルム１０本の同時プリントと、それらのインデックスプリントと、画像をディジタル化してＣＤ−Ｒに記録する注文を行ったとする。ＤＰＥ取扱店では、フィルム１本毎に１つの袋を用意し、フィルムを収納した全ての袋をステープルなどで１つに綴じるとともに、一番上の袋に「１０本口」、「同時プリント」、「インデックスプリント要」、「ＣＤ−Ｒ記録」などの注文内容を記載する。ＤＰＥ取扱店からこれらの袋を受け取った現像所では、１つに綴じられた１０本のフィルムを顧客Ｂの「オーダー」として取り扱い、例えば注文内容が記載された袋に記載されているシリアルナンバーを顧客Ｂのオーダー番号として認識する。また、各袋に記載されているシリアルナンバーをそれぞれ顧客Ｂのオーダーに含まれる各フィルムの番号として認識する。
【００１９】
なお、顧客Ｂが、ディジタルカメラで撮影した画像データが記憶されているメモリカードなどの記録媒体を持ち込んだ場合も同様である。
【００２０】
本実施形態において、顧客Ｂのオーダーを中断して顧客ＡのＮＧのコマの写真をプリントし直す場合、オーダーの中断はフィルム単位又は記録媒体で行われ、フィルム１本分又は記録媒体１枚分のプリント処理が完了した時点で割り込み処理が行われる。従って、顧客ＣがＤＰＥ取扱店にフィルム１本又は記録媒体１枚だけのプリントを注文したとすると、顧客Ｃのオーダーに対しては割り込み処理は行われず、顧客Ｃのオーダーが完了した後に顧客ＡのＮＧのコマの写真がプリントし直される。現像処理済みのフィルムからの焼き増しプリントの場合も同様に、オーダーはフィルム単位又は袋単位で認識され、処理される。
【００２１】
なお、フィルム１本又は記録媒体１枚を１つのオーダー単位とせず、顧客をオーダー単位とする理由としては、フィルムの現像本数やプリント枚数などから自動的に料金を計算し、請求書を発行できるシステムが構築されたこと、及び１枚のＣＤ−Ｒにフィルム複数本分の画像データを記録し得ることなどがあげられる。
【００２２】
次に、本実施形態における写真処理システムの構成を図１に示す。図１に示す写真処理システムは、顧客から持ち込まれた未現像フィルムを現像処理するフィルム現像装置３００と、現像されたフィルムからフィルム上に形成された画像をスキャナで読み取ったり、記録媒体から直接画像データを読み出し、ディジタル画像データとして出力する画像入力装置２００と、画像入力装置２００から出力される画像データを用いて感光材（印画紙）を露光し、露光された感光材を現像処理するディジタルプリンタ１００と、画像入力装置２００から出力される画像データをＣＤ−Ｒ等の記録媒体に記録する画像データ記録装置３１０と、プリント処理された写真の枚数や料金などを納品書などに印字するための印字装置３２０などで構成されている。
【００２３】
画像入力装置２００は、メモリカードやＣＤ−ＲＯＭ等の記憶媒体に記憶された画像データを読み込むためのディスクドライブ装置２０１と、フィルムや感光材上に形成された画像を直接読み込むためのスキャナ２０２と、読み込んだ画像をモニタ表示するためのディスプレイ２０３と、所定の画像処理やプリント処理の指示を入力するためのキーボード２０４と、プリントする画像データに所定の処理を施し、露光ユニットを制御するための制御データに変換し、ディジタルプリンタ１００に出力するための制御回路（図示せず）等で構成されている。キーボード２０４には、後述する割り込み操作キーが割り当てられているものとする。
【００２４】
ディジタルプリンタ１００は、外部接続された画像入力装置２００から画像データを読み込み、レーザビーム露光ユニット（図示せず）を用いて感光材上に銀塩写真を形成するものである。レーザビーム露光ユニットは、所定サイズの感光材片を全体として見たときにカラー画像が形成されているように、ディジタルカメラやスキャナの撮像素子の各画素に対応する感光材上の微小領域をＲ（赤）、Ｇ（緑）及びＢ（青）又はＹ（黄）、Ｍ（マゼンタ）及びＣ（シアン）の三原色の光で露光するように構成されている。それら微小領域が感光材上で連続して露光されることにより、感光材上に画像（潜像）が形成される。
【００２５】
ディジタルプリンタ１００は、それぞれ幅の異なる複数種類（例えば２種類）の長尺感光材を巻回収納したマガジン１０１，１０２と、マガジン１０１又は１０２から引き出した感光材を所定サイズに切断し、切断された感光材片上に画像入力装置２００から出力された画像データを用いて画像を露光する露光部（上記レーザビーム露光ユニットを含む）１０３と、露光された感光材片を現像、漂白、定着及び安定化処理する現像処理部１０４と、現像された感光材片を乾燥する乾燥部１０５と、乾燥された感光材片を例えばフィルム単位に仕分けるソータ部１０６などで構成されている。
【００２６】
次に、本実施形態の写真処理システムの機能ブロック構成を図２に示す。フィルム現像装置３００は、現時点では画像入力装置２００とはオフラインである。従って、フィルム現像装置３００により現像処理されたフィルムをオペレータが手作業で画像入力装置２００のスキャナ２０２に装填することにより、フィルム上の画像がディジタル画像データとして読み取られることになる。なお、将来フィルムの現像処理中に直接フィルム上の画像をディジタル画像データとして読み取ることができる装置、すなわちフィルム現像装置３００と画像入力装置２００が合体したような装置が実用化されれば、フィルム現像装置３００から画像データがオンラインで入力されることになる。また、記録媒体から直接画像データを読み出す場合には、記録媒体を画像入力装置２００のディスクドライブ装置に装填することにより行う。
【００２７】
画像入力装置２００側の第１制御部２１０は、所定の制御プログラムを記憶したＲＯＭやハードディスクなどの不揮発性メモリと、所定の制御プログラムを実行するためのＣＰＵと、ＣＰＵにより演算されたデータなどを一時的に記憶するためのＲＡＭなどで構成されており、画像入力装置２００全体の制御を行う。
【００２８】
画像データ読み取り部２１１は、上記ディスクドライブ装置２０１やスキャナ２０２及びこれらの装置を制御するためのＣＰＵ、ＲＯＭ、ＲＡＭなどを含み、これらの装置を制御してフィルムやメモリカードなどの記録媒体から画像データを読み取り、第１制御部２１０に出力する。
【００２９】
画像データ記憶部２１２は、ＲＡＭ又はハードディスクなどの大容量メモリで構成され、画像データ読み取り部２１１から入力された全ての画像データを一定時間記憶する。
【００３０】
画像データ補正部２１３はＣＰＵ、ＲＯＭ、ＲＡＭなどで構成され、画像データ読み取り部２１１から入力された画像データにガンマ補正などの所定の補正を行う。
【００３１】
画像データ送信部２１４は、例えば入出力インタフェース及び入出力インタフェースを制御するためのＣＰＵ、ＲＯＭ、ＲＡＭなどを含み、画像データ補正部２１３により補正された画像データをディジタルプリンタ１００や画像データ記録装置３１０に出力する。
【００３２】
表示部２１５は、上記ディスプレイ２０３及びディスプレイ２０３を制御するためのＣＰＵ、ＲＯＭ、ＲＡＭなどを含み、ディスプレイ２０３上に所定のメッセージや画像などを表示する。
【００３３】
操作部２１６は、上記キーボード２０４及びキーボード２０４からの入力信号を所定の制御命令に変換するためのＣＰＵ、ＲＯＭ、ＲＡＭなどを含み、変換した制御命令を第１制御部２１０に出力する。
【００３４】
処理内容記憶部２１７は、ＣＰＵ、ＲＯＭ、ＲＡＭなどで構成され、ある顧客のオーダーが処理されている場合に、そのオーダーの開始から現在までの処理内容を累積的に記憶する。
【００３５】
なお、画像入力装置２００の各部におけるＣＰＵ、ＲＯＭ、ＲＡＭやハードディスクなどのメモリは、同一のものを兼用して使用してもよいし、それぞれ個別に用意されたものを使用してもよい。
【００３６】
ディジタルプリンタ１００側の第２制御部１１０は、所定の制御プログラムを記憶したＲＯＭやハードディスクなどの不揮発性メモリと、所定の制御プログラムを実行するためのＣＰＵと、ＣＰＵにより演算されたデータなどを一時的に記憶するためのＲＡＭなどで構成されており、ディジタルプリンタ１００全体の制御を行う。
【００３７】
画像データ受信部１１１は、例えば入出力インタフェース及び入出力インタフェースを制御するためのＣＰＵ、ＲＯＭ、ＲＡＭなどを含み、画像入力装置２００側の画像データ送信部２１４から出力された補正された画像データを受信し、第２制御部１１０に入力する。
【００３８】
一時記憶部１１２は、例えばＲＡＭなどの大容量メモリである。画像データ送信部２１４と画像データ受信部１１１との間でのデータの送受信は、露光部１０３による感光材の露光に要する時間よりも遙かに短時間に行われるため、画像データを一時的に記憶するためのバッファメモリが必要となる。そのため、一時記憶部１１２は、画像データ受信部１１１により受信した画像データを一時的に記憶する。
【００３９】
次に、本実施形態の写真処理システムにおける割り込み処理ついて、図３及び図４に示すフローチャートを参照しつつ説明する。ここでは、顧客Ａから現像処理済みのフィルムを用いた引き延ばしプリントのオーダーがあり、顧客Ｂから複数本のフィルムの同時プリントのオーダーがあった場合を例にして説明する。オペレータはオーダーがあった順に顧客Ａのオーダーを処理し、次に顧客Ｂのオーダーを処理する。なお、記録媒体からのプリントオーダーの場合も同様である。
【００４０】
本実施形態の写真処理システムでは、画像入力装置２００のスキャナ２０２によりフィルムから画像を読み取り、ディジタル画像データに対してガンマ補正やその他の画像データ補正を行い、ディジタルプリンタ１００に補正後の画像データを出力している。そして、ディジタルプリンタ１００では、露光部１０３により補正後の画像データを用いて感光材片を露光し、現像処理部１０４により露光された感光材片を現像処理している。そのため、画像入力装置２００によるディジタル画像データの補正条件、換言すればディジタルプリンタ１００の露光部１０３における露光条件が適正であるか否かが判明するまでに一定の時間（例えば数分）を要する。
【００４１】
従って、顧客Ａのオーダーによる写真がプリント処理され、ディジタルプリンタ１００のソータ部１０６に排出された時点では、画像入力装置２００やディジタルプリンタの露光部１０３などでは、次の顧客Ｂのオーダーの処理が開始されている可能性が高い。そこで、顧客Ａのオーダーの写真の中に画質が不適正（ＮＧ）と判定される写真が含まれている場合、オペレータは画像入力装置２００のキーボード２０４に割り当てられている割り込み操作キーをオンし、顧客Ｂのオーダー処理を中断して、顧客ＡのＮＧ写真について露光条件を変更してプリント処理のやり直しを行う。
【００４２】
キーボード２０４に割り当てられている割り込み操作キーがオンされると（ステップＳ１）、画像入力装置２００側の第１制御部２１０及びディジタルプリンタ１００側の第２制御部１１０は、それぞれオーダーの処理中か否かを判断する（ステップＳ３）。ここで、顧客Ｂのオーダー処理中でない場合は、直ちに顧客ＡのＮＧ写真について露光条件を変更してプリント処理のやり直しを行う（ステップＳ５）。なお、顧客ＡのＮＧ写真の画像データは画像データ記憶部２１２に記憶されているため、改めてフィルムをスキャンする必要はない。換言すれば、画像データ記憶部２１２は、少なくともプリント処理のやり直しの可能性がなくなるまでは、すでにプリント処理を終えた画像データであっても記憶している。
【００４３】
ステップＳ３で現在顧客Ｂのオーダー処理中の場合、画像入力装置２００側の第１制御部２１０及びディジタルプリンタ１００側の第２制御部１１０は、現在処理中のフィルムが顧客Ｂのオーダーの最終フィルムであるか否かを判断する（ステップＳ７）。具体的には、顧客Ｂのオーダーがフィルム１本だけの処理である場合、及び顧客Ｂのオーダーには複数のフィルムが含まれているが、すでに処理を終えてそのフィルムが最終である場合のいずれかである。
【００４４】
ステップＳ７で現在処理中のフィルムが最終である場合、そのままそのフィルムについての処理、すなわち顧客Ｂのオーダー処理の完了を待ち（ステップＳ９）、顧客ＡのＮＧ写真について露光条件を変更してプリント処理のやり直しを行う（ステップＳ５）。
【００４５】
一方、ステップＳ７で現在処理中のフィルムが最終でない場合、そのフィルムについての処理の完了を待ち（ステップＳ１１）、現在処理を行っている顧客Ｂのオーダーを中断する（ステップＳ１３）。このとき、処理内容記憶部２１７には、中断された顧客Ｂのオーダーに関して、そのオーダーの処理が開始されてから中断されるまでの間における処理内容が記憶されているので、その処理内容を消去せずに、そのまま記憶しておく（ステップＳ１５）。そして、顧客ＡのＮＧ写真について露光条件を変更してプリント処理のやり直しを行う（ステップＳ１７）。このとき、プリントし直した顧客Ａの写真が顧客Ｂの写真に混じることがないようにするため、ディジタルプリンタ１００の第２制御部１１０は、ソータ部１０６を制御して、プリントし直された写真を、顧客Ｂのオーダーによる写真とは別のソータ又はトレイに排出するか、あるいは顧客Ａのオーダーによる写真が排出されたソータ又はトレイに排出する。
【００４６】
顧客ＡのＮＧ写真について露光条件を変更してプリント処理のやり直しが完了すると、オペレータは画像入力装置２００のキーボード２０４に割り当てられている割り込み操作キーを再度オンする。割り込む操作キーの２度目のオンにより、操作部２１６は割り込み解除命令を第１制御部２１０に入力し、顧客Ｂのオーダー処理の中断を解除する（ステップＳ１９）。
【００４７】
顧客Ｂのオーダー処理の中断が解除されると、画像入力装置２００側の第１制御部２１０及びディジタルプリンタ１００側の第２制御部１１０は、顧客Ｂのオーダーのうち未処理のフィルムについて、画像データの読み取り、画像データの補正、補正された画像データの送受信、補正された画像データによる感光材の露光及び露光された感光材の現像処理を再開する（ステップＳ２１）。
【００４８】
顧客Ｂのオーダー処理が再開されると、画像入力装置２００の第１制御部２１０は、再開された顧客Ｂのオーダーの処理内容を、処理内容記憶部２１７に記憶されている中断までの処理内容の上に累積的に加算していく（ステップＳ２３）。
【００４９】
顧客Ｂのオーダー処理が完了すると（ステップＳ２５）、画像入力装置２００の第１制御部２１０は、処理内容記憶部２１７に記憶されている顧客Ｂのオーダーの最終的な処理内容、例えば総プリント枚数、各プリントサイズ毎のプリント枚数、各プリントサイズ毎のプリント枚数に単価を乗じた小計金額及び各プリントサイズ毎の小計金額を合算した合計金額などを読み出し（ステップＳ２７）、印字装置３２０に出力する（ステップＳ２９）。印字装置３２０からは、顧客Ｂのオーダー処理が途中で中断されているにもかかわらず、オーダー処理が途中で中断されなかった場合と同様に、オーダー処理内容が一括して印字されて出力される。
【００５０】
なお、顧客Ｂのオーダーが、さらに画像データをＣＤ−Ｒなどの記録媒体に記録することを含んでいる場合、画像データ記憶部２１２に記憶されている顧客Ｂのオーダーに含まれる全画像データが画像データ記憶装置３１０に送信され、記録媒体に記憶される。また、顧客Ｂのオーダーが、１枚の感光紙片上にインデックスプリントを作成することを含んでいる場合、第１制御部２１０及び画像データ補正部は、読み出した各画像毎の画像データを間引き処理してサムネイル画像の一覧表示用の画像データを形成し、画像データ送信部２１４を介して一覧表示用の画像データをディジタルプリンタ１００の画像データ受信部１１１に送信する。ディジタルプリンタ１００の露光部１０３では、一覧表示用の画像データを用いて感光材片を露光し、露光された感光材片を現像処理してインデックスプリントを作成する。処理内容記憶で２１７ではこれらＣＤ−Ｒやインデックスプリントの作成も処理内容の１つとして記憶し、印字装置３２０を介して出力する。
【００５１】
また、上記実施形態では、フィルム上に形成されている画像を一旦スキャナで読み取り、ディジタル画像データに変換した上で、レーザビームなどを走査して感光材片を露光するディジタル式の写真処理システムについて説明したが、本発明はこれに限定されず、フィルム上に形成された画像を感光材上に拡大投影することによって露光する従来からの写真処理システムにも適用できることはいうまでもない。
【００５２】
さらに、上記実施形態の説明では、顧客Ｂのオーダー処理中に顧客ＡのＮＧ写真のプリントし直しを割り込ませる場合について説明したが、顧客Ａのオーダーに含まれる写真のプリント枚数が非常に多い場合、特定のコマの写真がＮＧと判定され、割り込み走査キーがオンされた時点で、顧客Ａのオーダー処理が完了していないこともあり得る。その場合、顧客Ａのオーダー処理を中断してＮＧ写真をプリントし直すことはいうまでもない。
【００５３】
【発明の効果】
以上説明したように、本発明の写真処理システムによれば、顧客のオーダーに基づいて、順次感光材を露光し、露光された感光材を現像処理することにより写真をプリントする写真処理システムにおいて、現在実行されているオーダーを中断して新たなオーダーを受け付けるための割り込み命令入力手段と、前記割り込み命令入力手段からの割り込み命令があった場合に、その時点で感光材片を露光中の場合はその感光材片の露光が完了した後に又は感光材片を露光中でない場合は直ちに現在実行中のオーダーを中断するオーダー中断手段と、前記露光中の感光材片又は割り込み命令直前に露光を終えた感光材片が所定の搬送経路を通って現像処理され排出されるまでの間、新たなオーダーの受け付け及び新たなオーダーに含まれる画像について所定の設定の入力を可能とする入力手段とを具備するので、割り込み命令を入力した後、その時点で処理中の全ての写真の現像処理が終わるのを待つことなく、割り込みによる新たなオーダーの受付や、新たなオーダーに含まれる画像について所定の設定の入力を可能となり、待ち時間を有効に利用することができる。特に、写真処理システムでは、複写機やレーザビームプリンタなどと異なり、露光から現像や定着などの処理に時間を要するため、特に効果が大きい。
【００５４】
また、前記割り込み命令入力手段からの割り込み命令があった場合に、現在実行中のオーダーの処理が開始されてから中断されるまでの間における処理内容を記憶する処理内容記憶手段をさらに具備することにより、割り込み処理の完了後に、中断したオーダーを再開しても、どの時点でオーダーの処理が中断されたかが分かっているので、中断されたオーダーが２つに分断されることを防止することができる。
【００５５】
また、本発明の別の写真処理システムによれば、顧客のオーダーに基づいて、順次感光材を露光し、露光された感光材を現像処理することにより写真をプリントする写真処理システムにおいて、既に処理された第１のオーダーによる写真中に画質が不適当と判定された写真が含まれている場合に、現在実行されている第２のオーダーを中断して前記不適当と判定された写真のプリントをやり直すための割り込み命令入力手段と、前記割り込み命令入力手段からの割り込み命令があった場合に、第２のオーダーを所定の区切りまで実行した後、第２のオーダーを中断するオーダー中断手段と、第２のオーダーが中断された時点において、第２のオーダーの処理が開始されてから中断されるまでの間における第２のオーダーの処理内容を記憶する処理内容記憶手段と、第２のオーダーが中断された後、第１のオーダーにおいて画質が不適当と判定された写真をプリントし直すリプリント手段と、プリントし直された第１のオーダーによる写真を前記第２のオーダーによる写真と区別して出力するリプリント出力手段と、第１のオーダーにおいて画質が不適当と判定された写真がプリントし直された後、第２のオーダーの中断を解除して第２のオーダーの処理を再開するための割り込み解除命令入力手段と、割り込み解除命令が入力された後、第２のオーダーの処理を前記所定の区切りの後から再開するオーダー再開手段と、第２のオーダーの処理が再開された後、再開後の第２のオーダーの処理内容を、前記処理内容記憶手段に記憶されている第２のオーダーの処理が開始されてから中断されるまでの間における第２のオーダーの処理内容に累積的に加算する処理内容加算手段と、第２のオーダーの処理が完了したときに、前記処理内容加算手段により加算された最終の第２のオーダーの処理内容を出力する処理内容出力手段とを具備する。
【００５６】
すなわち、割り込み命令があっても直ちに第２のオーダーを中断するのではなく、第２のオーダーを所定の区切り、例えば割り込み命令が入力された時点において処理されているフィルム又は記録媒体について、そのフィルム１本分又は記録媒体１枚分の処理が完了するまで実行した後に第２のオーダーが中断されるので、現在処理中のフィルム又は記録媒体に写されている写真が２つに分割され、他のフィルム又は記録媒体の写真に混じるというようなトラブルを防止することができる。
【００５７】
また、第２のオーダーが中断された場合に、第２のオーダーの処理が開始されてから中断されるまでの間における第２のオーダーの処理内容が処理内容記憶手段に記憶され、第２のオーダーの処理が再開された後、再開後の第２のオーダーの処理内容が処理内容記憶手段に記憶されている第２のオーダーの処理内容に累積的に加算され、第２のオーダーの処理が完了したときに、処理内容加算手段により加算された最終の第２のオーダーの処理内容が処理内容出力手段により出力されるので、第２のオーダーが中断されても、中断の前後で第２のオーダーの処理内容、例えば第２のオーダーによる総プリント枚数、各プリントサイズ毎のプリント枚数、各プリントサイズ毎のプリント枚数に単価を乗じた小計金額及び各プリントサイズ毎の小計金額を合算した合計金額などが２つに分割されることはない。その結果、プリント処理された写真を顧客に返却する際、写真取り扱店などで料金を手計算で集計し直す必要がなくなる。
【００５８】
また、本発明の別の写真処理システムによれば、顧客のオーダーに基づいて、順次感光材を露光し、露光された感光材を現像処理することにより写真をプリントする写真処理システムにおいて、現在処理中のオーダーによる写真中に画質が不適当と判定された写真が含まれている場合に、現在処理中のオーダーを中断して前記不適当と判定された写真のプリントをやり直すための割り込み命令入力手段と、前記割り込み命令入力手段からの割り込み命令があった場合に、現在処理中のオーダーを所定の区切りまで実行した後、そのオーダーを中断するオーダー中断手段と、現在処理中のオーダーが中断された時点において、そのオーダーの処理が開始されてから中断されるまでの間における処理内容を記憶する処理内容記憶手段と、現在処理中のオーダーが中断された後、画質が不適当と判定された写真をプリントし直すリプリント手段と、プリントし直された写真をその他の写真と区別して出力するリプリント出力手段と、画質が不適当と判定された写真がプリントし直された後、中断したオーダーの中断を解除して中断したオーダーの処理を再開するための割り込み解除命令入力手段と、割り込み解除命令が入力された後、中断したオーダーの処理を前記所定の区切りの後から再開するオーダー再開手段と、中断したオーダーの処理が再開された後、再開後のオーダーの処理内容を、前記処理内容記憶手段に記憶されている処理が開始されてから中断されるまでの間における処理内容に累積的に加算する処理内容加算手段と、再開したオーダーの処理が完了したときに、前記処理内容加算手段により加算された最終の処理内容を出力する処理内容出力手段とを具備する。
【００５９】
この場合、ある顧客のオーダーによる処理枚数が非常に多く、割り込み命令があった時点でそのオーダーの処理が完了していない場合に対応したものであり、上記の場合と同様に、オーダーが中断されても、中断の前後でオーダーの処理内容、例えば総プリント枚数、各プリントサイズ毎のプリント枚数、各プリントサイズ毎のプリント枚数に単価を乗じた小計金額及び各プリントサイズ毎の小計金額を合算した合計金額などが２つに分割されることはない。その結果、プリント処理された写真を顧客に返却する際、写真取り扱店などで料金を手計算で集計し直す必要がなくなる。
【００６０】
さらに、プリントし直された写真をその他の写真とは別のソータ又はトレイに排出するか、あるいはプリントし直された写真をその同じオーダーによる写真が排出されたソータ又はトレイに排出することにより、プリントし直された写真が他の顧客の写真に混じることを防止することができる。
【図面の簡単な説明】
【図１】本発明の一実施形態における写真処理システムの構成を示す図である。
【図２】上記一実施形態の写真処理システムの機能ブロック構成を示す図である。
【図３】上記一本実施形態の写真処理システムにおける割り込み処理を示すフローチャートである。
【図４】図３のフローチャートの続きである。
【符号の説明】
１００：ディジタルプリンタ
１０３：露光部
１０４：現像処理部
１０６：ソータ部
１１０：第２制御部
１１１：画像データ受信部
１１２：一時記憶部
２００：画像入力装置
２１０：第１制御部
２１１：画像データ読み取り部
２１２：画像データ記憶部
２１３：画像データ補正部
２１４：画像データ送信部
２１５：表示部
２１６：操作部
２１７：処理内容記憶部
３００：フィルム現像装置
３１０：画像データ記録装置
３２０：印字装置
【図１】
2004012905.tif 000002
【図２】
2004012905.tif 000003
【図３】
2004012905.tif 000004
【図４】
2004012905.tif 000005